(57)【要約】【課題】発振方向の異なる発振に関する複数のパラメータを明確に把握することができる眼科手術装置のグラフィカルユーザーインターフェースを提供すること。【解決手段】水晶体核を破砕除去するために、発振方向が異なる第１方向発振と第２方向発振との発振が可能なハンドピースを備える眼科手術装置のグラフィカルユーザーインターフェースにおいて、第１方向発振、第２方向発振、及び発振休止を組み合わせた複合発振時における、第１方向発振のパルスデューティと第２方向発振のパルスデューティとを同一表示部にグラフィック表示する。【選択図】図５
2020032069.tif 000002
【特許請求の範囲】
【請求項１】
水晶体核を破砕除去するために、発振方向が異なる第１方向発振と第２方向発振との発振が可能なハンドピースを備える眼科手術装置のグラフィカルユーザーインターフェースにおいて、
前記第１方向発振、前記第２方向発振、及び発振休止を組み合わせた複合発振時における、前記第１方向発振のパルスデューティと前記第２方向発振のパルスデューティとを同一表示部にグラフィック表示する
ことを特徴とする眼科手術装置のグラフィカルユーザーインターフェース。
【請求項２】
請求項１に記載する眼科手術装置のグラフィカルユーザーインターフェースにおいて、
前記ハンドピースに対する制御パルス信号における１パルス分の前記第１方向発振のオン期間、前記第２方向発振のオン期間、及び前記発振休止の期間の割合を前記同一表示部にグラフィック表示する
ことを特徴とする眼科手術装置のグラフィカルユーザーインターフェース。
【請求項３】
請求項１又は請求項２に記載する眼科手術装置のグラフィカルユーザーインターフェースにおいて、
前記第１方向発振のパルスデューティと前記第２方向発振のパルスデューティとに加えて、前記第１方向発振のパワーと前記第２方向発振のパワーとを前記同一表示部にグラフィック表示する
ことを特徴とする眼科手術装置のグラフィカルユーザーインターフェース。
【請求項４】
請求項３に記載する眼科手術装置のグラフィカルユーザーインターフェースにおいて、
前記グラフィック表示は、前記同一表示部にて、横方向への表示の大きさでパルスデューティの大きさを示し、縦方向への表示の大きさで発振パワーの大きさを示し、表示部に占める表示面積の大きさで発振エネルギーの大きさ示す
ことを特徴とする眼科手術装置のグラフィカルユーザーインターフェース。
【請求項５】
請求項１から請求項４に記載するいずれか１つの眼科手術装置のグラフィカルユーザーインターフェースにおいて、
前記ハンドピースの発振動作を制御するフットペダルの踏み始めにおける各種パラメータの設定状態をグラフィック表示する第１表示部と、前記フットペダルの踏み終わりにおける各種パラメータの設定状態をグラフィック表示する第２表示部とが並列配置されている
ことを特徴とする眼科手術装置のグラフィカルユーザーインターフェース。
【請求項６】
請求項１から請求項５に記載するいずれか１つの眼科手術装置のグラフィカルユーザーインターフェースにおいて、
前記第１方向発振及び前記第２方向発振に関する各種パラメータを設定するための各種設定入力部の複数が、表示部が配置される画面内に表示される
ことを特徴とする眼科手術装置のグラフィカルユーザーインターフェース。
【発明の詳細な説明】
【技術分野】
【０００１】
本開示は、患者眼の水晶体の乳化除去手術（水晶体乳化吸引除去法）等に用いられる眼科手術装置のグラフィカルユーザーインターフェースに関するものである。
【背景技術】
【０００２】
白内障の手術として、いわゆる超音波乳化除去法が知られている。そして、この手術に使用する眼科手術装置として、超音波振動子を利用して先端のチップを超音波振動させて水晶体核を破砕するハンドピースを備えるものが使用されている。このような眼科手術装置には、装置の各種設定を行うために、グラフィカルユーザーインターフェースが備わっている（特許文献１参照）。
【０００３】
そして近年、眼科手術装置では、縦発振（長軸方向に沿った直動運動）に加えて、ねじり発振（チップの長軸を中心軸とした回旋運動）が可能なハンドピースを備えるものが実用化されている。このような発振方向が異なる発振を行えるハンドピースを備える眼科手術装置では、発振方向が異なる発振（例えば縦発振とねじり発振）を組み合わせた複合発振を実施することにより、水晶体核の破砕効率を向上させている。
【先行技術文献】
【特許文献】
【０００４】
【特許文献１】特表２０１６−５３２５０３号公報
【発明の概要】
【発明が解決しようとする課題】
【０００５】
しかしながら、特許文献１のグラフィカルユーザーインターフェースでは、パルスパラメータの表示が主として数値であり、また、発振方向が異なる発振（例えば、縦発振とねじり発振）の各パラメータが独立して（別々に）グラフィック表示される。そのため、パラメータの設定（変更）が従来よりも複雑になる複合発振の場合、発振方向が異なる発振（例えば、縦発振とねじり発振）に関する各種パラメータの相互関係を明確に把握することが困難であり、パラメータの設定（変更）に時間がかかるばかりでなく、設定ミスが生じるおそれもあった。
【０００６】
そこで、本開示は、上記した問題点を解決するために、発振方向の異なる発振に関する各種パラメータの相互関係を簡単かつ明確に把握することができる眼科手術装置のグラフィカルユーザーインターフェースを提供することを目的とする。
【課題を解決するための手段】
【０００７】
上記課題を解決するためになされた本開示の一形態は、
水晶体核を破砕除去するために、発振方向が異なる第１方向発振と第２方向発振との発振が可能なハンドピースを備える眼科手術装置のグラフィカルユーザーインターフェースにおいて、
前記第１方向発振、前記第２方向発振、及び発振休止を組み合わせた複合発振時における、前記第１方向発振のパルスデューティと前記第２方向発振のパルスデューティとを同一表示部にグラフィック表示する
ことを特徴とする。
【発明の効果】
【０００８】
本開示の眼科手術装置のグラフィカルユーザーインターフェースによれば、発振方向の異なる発振に関する各種パラメータの相互関係を簡単かつ明確に把握することができる。
【図面の簡単な説明】
【０００９】
【図１】本実施形態の超音波手術装置の外観図である。
【図２】本実施形態の超音波手術装置の制御系を示すブロック図である。
【図３】メイン画面の表示例を示す図である。
【図４】手術画面の表示例を示す図である。
【図５】パルス設定画面の表示例を示す図である。
【図６】パルス設定画面でパラメータ変更を行った場合の表示例を示す図である。
【図７】パラメータ変更を行った後における手術画面の表示例を示す図である。
【図８】発振順を変更した場合におけるパルス設定画面の表示例を示す図である。
【図９】リニア制御時におけるパルス設定画面の表示例を示す図である。
【図１０】リニア制御時にパルス設定画面でパラメータ変更を行った場合の表示例を示す図である。
【図１１】パルス設定画面にUS Powerアイコンを配置した場合の表示例を示す図である。
【図１２】図１１の状態からパラメータ変更を行った場合の表示例を示す図である。
【図１３】表示部におけるグラフィック表示の変形例を示す。
【図１４】表示部におけるグラフィック表示の変形例を示す。
【図１５】表示部におけるグラフィック表示の変形例を示す。
【発明を実施するための形態】
【００１０】
以下、本開示における典型的な実施形態について、図面に基づき詳細に説明する。本実施形態では、白内障手術において水晶体核を破砕除去する超音波手術装置を例示する。図１に示すように、手術装置１は、その正面にモニタ２ａと、各種入力操作を行うためのグラフィカルユーザーインターフェース（ＧＵＩ）の一例であるタッチパネル２と、手術器具のケーブル等が接続される複数のコネクタが設けられた接続パネル５が設けられている。なおモニタ２ａには手術条件の設定画面や手術装置の駆動結果である手術結果の一覧表等が表示される。例えば手術条件の設定画面には、手術モードの選択、灌流瓶の高さ調節、フットペダルの設定、吸引圧、超音波出力（発振パワー、パルス数など）の各種手術条件を設定するためのアイコンや、ＩＤ、年齢などの患者情報、術者情報を入力するためのアイコン等が表示される。その詳細については後述する。
【００１１】
手術装置１の側面には、白内障手術などの手術用カセット１０が取り付けられるカセット保持ユニット７が設けられている。保持ユニット７にカセット１０が取り付けられ、保持ユニット７のカバー７ａが本体側へと押されることによりカセット１０が手術装置１にローディングされる。
【００１２】
手術装置１の背面には生理食塩水等の灌流液が入れられた灌流瓶３を支持する電動ポール４が設けられており、ポール４の上側に灌流瓶３を吊り下げるためのアーム４ａが設けられている。ポール４はタッチパネル２からの入力信号に基づき駆動機構９（図２参照）の駆動で上下移動される。これにより患者眼から灌流液の液面までの高さが変わり、患者眼に供給される灌流液の圧力が変わる。また手術装置１の背面には手術結果等を電子データとして外部転送するために，図示を略すＬＡＮ，ＵＳＢストレージデバイス等を介して外部機器ＰＣと接続されるインターフェース２５（図２参照）が設けられている。手術装置１の下方には後述する各種ハンドピースのチップの超音波振動や吸引動作などの各種動作を調整するためのフットペダル８が設けられている。
【００１３】
手術装置１の内部には各種動作制御のための制御部３０が内蔵されている。図２において、制御部３０は上述のモニタ２ａ、タッチパネル２、接続パネル５、フットペダル８、駆動機構９、インターフェース２５が接続される他、記憶部としてのメモリ２０、表示制御部３１などが接続される。メモリ２０には手術を実行するためのプログラムや、手術ごとに術者が設定した各種パラメータなどの各種手術情報が記憶される。またタッチパネル２の操作等で入力された術者情報と各種パラメータの設定値などが互いに関連付けて記憶される。表示制御部３１はタッチパネル２等からの入力信号に基づきモニタ２ａの表示状態を変える制御を実行する。
【００１４】
以上のような構成の手術装置１において、白内障手術では、手術器具として超音波振動により水晶体核を破砕乳化する超音波ハンドピース（以下、ＵＳハンドピース）１１と、灌流吸引用ハンドピース（以下、Ｉ／Ａハンドピース）１２が選択的に使用される。使用時には、ＵＳハンドピース１１（Ｉ／Ａハンドピース１２）に灌流チューブ２１と吸引チューブ２２が接続され、灌流チューブ２１の他端は白内障手術用カセット１０が持つ灌流経路の接続口に接続される。吸引チューブ２２の他端はカセット１０が持つ吸引経路の接続口に接続される。なお吸引経路の接続口には廃液袋が取り付けられる。
【００１５】
ＵＳハンドピース１１は、超音波振動子、ホーン、チップなどを備えており、超音波振動子に対して特定の周波数の信号を入力して超音波振動子を振動させることにより、ホーンを振動させてチップが発振するようになっている。ここで、本開示の「第１方向発振」の一例である縦発振の周波数信号を超音波振動子に入力すると、ホーンが長軸方向に沿って振動する。このホーンの振動に伴って、チップが長軸方向に沿って発振する（縦発振する）。
【００１６】
一方、前述とは異なる周波数信号を超音波振動子に入力すると、超音波振動子は前述の周波数とは異なる周波数で振動する。このとき、ホーンは前述とは異なる周波数で振動することにより、チップが本開示の「第２方向発振」の一例であるねじり発振を生じる。スリットの配置間隔、角度等が特定の周波数の縦振動をねじり振動に変換するように形成されているため、ホーンはねじり振動を起こし、チップがねじり発振するのである。なお、第２方向発振はねじりに限るものではなく、例えば長軸に交差する方向に発振してもよい。つまり例えば、ＵＳハンドピース１１の超音波振動子に入力する周波数を変化させて、発振方向が異なる２以上の方向に発振できればよい。（なお、ＵＳハンドピースの詳細については例えば特開２０１４−８７６０８号公報を参照されたし）
【００１７】
また、このようなハンドピースの選択に応じて、予め条件が設定されている手術プログラムの中から、実施する手術に対応する手術プログラム及びモードが選択される。つまり、術者により、タッチパネル２（モニタ２ａ）に表示されるメイン画面５０において、プログラム選択アイコン５５から実施するプログラムが選択され、モード選択アイコン５１から実施するモードが選択される（図３参照）。これにより、手術装置１では、選択された手術プログラム及びモードに設定されている条件に従って各種機器が制御される。なお、メイン画面５０の詳細については後述する。
【００１８】
そして、ＵＳハンドピース１１による手術時に灌流チューブ２１を介して眼に灌流液が供給される。一方、乳化された水晶体核等の廃液は吸引チューブ２２を介して廃液袋に投入される。Ｉ／Ａハンドピース１２を用いて水晶体嚢内の残留皮質の吸引除去をする場合にも灌流チューブ２１を介して眼に灌流液が供給されると共に、乳化された組織などの廃液は吸引チューブ２２を介して廃液袋に投入される。
【００１９】
なお図示は省略するが吸引チューブ１６の途中には、蠕動型（ペリスタルティック・タイプ）吸引ポンプが設けられており、吸引ポンプで発生する吸引圧によって眼内の廃液が廃液袋に導かれる。このような吸引ポンプの吸引流量はフットペダル８の入力操作に基づき制御部３０により調整される。
【００２０】
ここで、メイン画面５０について説明する。メイン画面５０は、手術装置１を起動した時、タッチパネル２に表示される。このメイン画面５０には、図３に示すように、白内障手術の各手術モードを選択するためのモード選択アイコン５１、灌流ポール高さを調節するためのポール高さ調節アイコン５２、超音波発振の積算時間を示す超音波発振時間確認アイコン５３、術者選択アイコン５４、手術プログラムを選択するプログラム選択アイコン５５、フットペダル８の状態を示すフットペダルアイコン５６等が設けられている。
【００２１】
そして、モード選択アイコン５１からモードが選択されると（本実施形態では「ＵＳ１」モードが選択される）、メイン画面５０が切り替わって例えば図４に示すＵＳモードの手術画面６０がタッチパネル２に表示される。なお、メイン画面５０が表示される状態で、フットペダル８が踏み込まれた場合にも、手術画面６０に切り替わる。この手術画面６０には、吸引ポンプの吸引圧、吸引流量、及びＵＳハンドピース１１の各種設定値などが表示される。本実施形態では、ＵＳハンドピース１１の各種設定値として、例えば、縦発振パワー（フェイコパワー）及びねじり発振パワー（トーショナルパワー）、１秒当たりのパルス数、パルスデューティ、縦発振パルスデューティ（フェイコTime On）、及びねじり発振パルスデューティ（トーショナルTime On）の各設定値が表示される。なお、縦発振パルスデューティ（フェイコTime On）とねじり発振パルスデューティ（トーショナルTime On）との合計が、全体における発振割合を示すパルスデューティとなる。
【００２２】
なお、術者によって各種パラメータの設定（所謂カスタマイズ設定）が行われていない場合（例えば、術者情報を登録した直後など）、手術画面６０には、図４に示すような各パラメータの代表値が表示される。例えば、本実施形態では、各代表値として、吸引圧力が「３００（ｍｍＨｇ）」、吸引流量が「２５（ｍＬ／ｍｉｎ）」、フェイコパワーが「５０（％）」、トーショナルパワーが「５０（％）」、パルス数が「５（ｐｐｓ）」、パルスデューティが「４０（％）」、フェイコTime Onが「８（％）」、トーショナルTime Onが「３２（％）」と表示される。なお、各代表値は、手術装置１のメモリ２０に予め記憶されている。また、パルスデューティ制御として、フットペダル８の踏み始めと踏み終わりにおいてパルスデューティが変化しない（つまりパルスデューティが常に一定である）パネル制御が選択されている。
【００２３】
術者がこれらの代表値を変更して術者好みの設定を行う場合には、手術画面６０において、パルスパラメータ（パルス数、デューティ、Time On）のいずれかの表示部付近をタッチすると、図５に示すように、パルス設定画面７０がポップアップ表示される。なお、吸引圧力、吸引流量、縦発振パワー（フェイコパワー）及びねじり発振パワー（トーショナルパワー）の設定は、それぞれの表示部をタッチすると設定画面がポップアップ表示されるので、表示された設定画面上で変更することができる。
【００２４】
パルス設定画面７０には、１秒当たりのパルス数を設定するパルス数設定アイコン７１、発振割合を示すパルスデューティを設定するパルスデューティ設定アイコン７２、フェイコTime On及びトーショナルTime Onを設定するTime On設定アイコン７３等が設けられている。これらのアイコン７１〜７３を操作することにより、１秒当たりのパルス数、パルスデューティ、フェイコTime On及びトーショナルTime Onを、所望（術者好み）の設定値に変更（調整）することができる。
【００２５】
また、本実施形態のパルス設定画面７０には、現状で設定されているパラメータの状態がグラフィック表示される。本実施形態では例えば、並列配置されたグラフィック表示部８０とグラフィック表示部８１に、縦発振（フェイコ）、ねじり発振（トーショナル）、及び発振休止（無発振）を組み合わせた複合発振時における、フットペダル８の踏み始め時の設定パラメータの状態と、フットペダル８の踏み終わり時の設定パラメータの状態とが、それぞれグラフィック表示される。
【００２６】
具体的には、各表示部８０，８１に、縦発振（フェイコ）のパルスデューティ（発振オン期間）とねじり発振（トーショナル）のパルスデューティ（発振オン期間）とがグラフィック表示されるとともに、縦発振のパワー（フェイコパワー）とねじり発振のパワー（トーショナルパワー）とがグラフィック表示される。本実施形態では、発振パワーもグラフィック表示しているが、少なくとも縦発振（フェイコ）のパルスデューティとねじり発振（トーショナル）のパルスデューティとがグラフィック表示されていればよい。
【００２７】
本実施形態では、各表示部８０，８１の横方向（横軸）に、ＵＳハンドピース１１に対する制御パルス信号における１パルス分の縦発振のオン期間（フェイコTime On）、ねじり発振のオン期間（トーショナルTime On）、及び発振休止の期間の各割合がグラフィック表示される。具体的には、各表示部８０，８１において、横方向へのグラフィック表示の大きさでパルスデューティの大きさを示している。つまり、横方向へのグラフィック表示のうち、フェイコの部分（縦線部）でフェイコTime Onの大きさ（割合）を示し、トーショナルの部分（斜線部）でトーショナルTime Onの大きさ（割合）を示し、横方向へのグラフィック表示全体（フェイコとトーショナルの合計）でパルスデューティの大きさを示している。そして、本実施形態ではパルスデューティは１００（％）を超えることはないため、横方向にグラフィック表示がない空白部分は発振休止（無発振）の割合を示している。なお、各表示部８０，８１において、本願で縦線部や斜線部で示す部分は、実際にはカラー表示にてよりわかり易く表示される。なお表示部８０，８１の横方向は１パルス中の制御変化を示し、左側から右側に向かって順番に、対応する制御が行われる。
【００２８】
また、各表示部８０，８１の縦方向（縦軸）に、縦発振のパワー（フェイコパワー）とねじり発振のパワー（トーショナルパワー）の大きさがグラフィック表示される。具体的には、各表示部８０，８１において、縦方向へのグラフィック表示の大きさで各発振パワーの大きさ（最大パワーに対する割合）を示している。なお、発振パワーとは、ＵＳハンドピース１１に備わるチップの振幅、又は超音波振動子へのバイアス電圧である。
【００２９】
さらに、本実施形態では、各表示部８０，８１に表示されるグラフィックの表示面積の大きさで発振エネルギーの大きさも示している。すなわち、各表示部８０，８１における縦発振（フェイコ）のグラフィック表示の表示面積（縦線四角形の面積）が、縦発振のエネルギー（フェイコエネルギー）の大きさを示す。同様に、各表示部８０，８１におけるねじり（トーショナル）のグラフィック表示の表示面積（斜線四角形の面積）が、ねじり発振のエネルギー（トーショナルエネルギー）の大きさを示す。
【００３０】
このように、表示部８０のグラフィック表示から、フットペダル８の踏み始めにおける、縦発振のパワー（フェイコパワー）、縦発振のオン期間（フェイコTime On）、縦発振のエネルギー（フェイコエネルギー）、ねじり発振のパワー（トーショナルパワー）、ねじり発振のオン期間（トーショナルTime On）、ねじり発振のエネルギー（トーショナルエネルギー）、パルスデューティ（フェイコTime OnとトーショナルTime Onとの合計）、１パルス中で発振を行わない発振停止期間、発振順序（図５では、ねじり発振、縦発振、無発振の順）を短時間で簡単に認識することができる。
【００３１】
同様に、表示部８１のグラフィック表示から、フットペダル８の踏み終わりにおける、縦発振のパワー（フェイコパワー）、縦発振のオン期間（フェイコTime On）、縦発振のエネルギー（フェイコエネルギー）、ねじり発振のパワー（トーショナルパワー）、ねじり発振のオン期間（トーショナルTime On）、ねじり発振のエネルギー（トーショナルエネルギー）、パルスデューティ（フェイコTime OnとトーショナルTime Onとの合計）、１パルス中で発振を行わない発振停止期間、発振順序（図５では、ねじり発振、縦発振、無発振の順）を短時間で簡単に認識することができる。
【００３２】
また、本実施形態では、フットペダル８の踏み込み量に比例して、各発振パワーが変化する。そのため、表示部８０と表示部８１とが並列配置されていることにより、表示部８０のグラフィカル表示と表示部８１のグラフィカル表示とから、フットペダル８の踏み込み量に応じて、各パラメータがどのように変動するのかを容易に把握（イメージ）し易い。これにより、術者は、表示部８０，８１のグラフィカル表示により、現状のパラメータ設定において、ＵＳハンドピース１１がどのように発振するのかを、短時間で正確に認識し易くなる。なお、パルス設定画面７０に表示する表示部は表示部８０と表示部８１に限るものでは無く、パルス設定に基づく１または複数の表示部（グラフィカル表示）が表示されればよい。例えば表示部８０と表示部８１のいずれか一方のみが表示されていてもよい。グラフィック表示によって、各々制御（縦発振制御、ねじり発振制御、および発振停止制御）の関係を容易に把握できればよい。
【００３３】
そして、術者が、現状のパラメータ設定を変更（調整）する場合には、変更したい設定値を表示しているアイコン７１〜７３を操作することにより、設定値を変更（調整）する。例えば、パルスデューティを変更（一例として「４０」を「６５」に変更）した場合、パルス設定画面７０が、図５から図６に変化する。すなわち、図６に示すように、パルスデューティの変更に伴い、各発振のオン期間が自動的に変更される。具体的には、縦発振のオン期間（フェイコTime On）が「８」から「１３」に、ねじり発振のオン期間（トーショナルTime On）が「３２」から「５２」にそれぞれ自動的に変更される。
【００３４】
もちろん、縦発振のオン期間（フェイコTime On）又はねじり発振のオン期間（トーショナルTime On）を変更することもできる。この場合、いずれか一方のオン期間を変更すると、他方のオン期間が自動的に変更される。
【００３５】
これらのパラメータの変更に伴って、各表示部８０，８１のグラフィカル表示の大きさ（形状）も変更される。この変更後のグラフィカル表示を見ることにより、術者は、設定値の変更に伴って、ＵＳハンドピース１１の発振パターンがどのように変化するのかを簡単に確認することができる。つまり、術者は、各表示部８０，８１のグラフィカル表示を確認することにより、思い通りの発振パターンを実現するパラメータ設定になっているか否かを素早く判断することができる。そのため、パラメータの設定が従来よりも複雑になる複合発振の場合であっても、各表示部８０，８１のグラフィカル表示により、縦発振とねじり発振とに関する各種パラメータの相互関係を明確に把握することができるので、パラメータの設定（調整）が短時間で終了するとともに、設定ミスが生じ難くなる。
【００３６】
そして、パルスパラメータの設定が終了すると、術者は、パルス設定画面７０の右上の「×」をタッチしてパルス設定画面７０を閉じる。このとき例えば、図６に示すパルス設定画面７０が閉じられると、図７に示すように、パラメータの変更が反映された手術画面６０に移行する。その後、術者は、ＵＳハンドピース１１を用いて、ＵＳ１モードで超音波手術を開始する。そうすると、手術中における手術装置１の各種状態が手術画面６０に表示される。
【００３７】
ここで、手術画面６０において、発振選択アイコン６１をタッチするとプルダウンメニューが表示され、そのプルダウンメニューから、「フェイコ・トーショナル」を選択することにより、ねじり発振（トーショナル）と縦発振（フェイコ）の発振順を入れ替える（変更）することができる。なお、プルダウンメニューには、ねじり発振のみとなる「トーショナル」、縦発振のみとなる「フェイコ」、ねじり発振・縦発振の順となる「トーショナル・フェイコ」、縦発振・ねじり発振の順となる「フェイコ・トーショナル」の４つの選択肢が設けられている。
【００３８】
例えば、図５に示す設定値が記憶されている状態からパラメータを変更することなく、手術画面６０にて発振選択アイコン６１の操作により発振順のみを変更した場合には、パルス設定画面７０が表示されると、図８に示すように、表示部８０，８１におけるグラフィック表示が変化する。この変化後のグラフィック表示から、ＵＳハンドピース１１における発振が、縦発振（フェイコ）、ねじり発振（トーショナル）、無発振（発振停止）の順で制御されることを明確に認識することができる。
【００３９】
続いて、パルスデューティ制御として、フットペダル８の踏み始めと踏み終わりにおいてパルスデューティを別々に設定可能なリニア制御を選択した場合について説明する。なお、パネル制御からリニア制御への切り替えは、パルス設定画面７０において、リニア制御のアイコンを選択することにより行うことができる。逆に、リニア制御からパネル制御への切り替えは、パルス設定画面７０において、パネル制御のアイコンを選択することにより行うことができる。
【００４０】
そして、図９に示すように、リニア制御を選択した場合、パルスデューティ設定アイコン７２及びTime On設定アイコン７３のそれぞれについて、フットペダル８の踏み始めと踏み終わりに別々の値を設定するためのパルスデューティ設定アイコン７２ａ，７２ｂ、及びTime On設定アイコン７３ａ，７３ｂが表示される。そして、パルスデューティ設定アイコン７２ａ及びTime On設定アイコン７３ａを操作することにより、フットペダル８の踏み始めにおけるパルスデューティ及びTime On（各発振のオン期間）を設定することができる。また、パルスデューティ設定アイコン７２ｂ及びTime On設定アイコン７３ｂを操作することにより、フットペダル８の踏み終わりにおけるパルスデューティ及びTime On（各発振のオン期間）を設定することができる。
【００４１】
このようなリニア制御を選択してパラメータを変更した場合にも、そのパラメータ変更に伴って表示部８０，８１のグラフィック表示が変化する。例えば、図９に示す設定値から図１０に示す設定値に変更したとする。具体的には、図９及び図１０に示すように、フットペダル８の踏み始めにおける、パルスデューティを「４０」から「７０」に、縦発振のオン期間（フェイコTime On）を「８」から「５０」に、ねじり発振のオン期間（トーショナルTime On）を「３２」から「２０」にそれぞれ変更し、フットペダル８の踏み終わりにおける、パルスデューティを「８０」から「２０」に、縦発振のオン期間（フェイコTime On）を「１６」から「１０」に、ねじり発振のオン期間（トーショナルTime On）を「６４」から「１０」にそれぞれ変更したとする。
【００４２】
この設定変更では、フットペダル８の踏み始めにおいて、パルスデューティを大きくして、縦発振のオン期間（フェイコTime On）を長く、ねじり発振のオン期間（トーショナルTime On）を短くしている。また、フットペダル８の踏み終わりにおいて、パルスパルスデューティを小さくして、縦発振のオン期間（フェイコTime On）及びねじり発振のオン期間（トーショナルTime On）をともに短くしている。
【００４３】
このような設定変更に伴って、図９と図１０を比較するとわかるように、表示部８０のグラフィック表示が横方向において全体として大きくなり、そのうちトーショナルの部分（斜線部）が小さくなる一方、フェイコの部分（縦線部）が大きくなる。また、表示部８１のグラフィック表示が横方向において全体として小さくなり、そのうちトーショナルの部分（斜線部）及びフェイコの部分（縦線部）が大きくなる。なお、この例示では、発振パワーは変更していないので、各表示部８０，８１のグラフィック表示は、縦方向において大きさは変化していない。
【００４４】
そして、術者は、図１０に示す表示部８０，８１のグラフィック表示を確認することにより、変更後のパラメータ設定によってＵＳハンドピース１１の発振パターンがどのようになるのかを短時間で正確に把握することができる。そのため、フットペダル８の踏み始めと踏み終わりにおいて別々のパラメータを設定可能となり、パラメータの設定がより複雑になるリニア制御を行う場合であっても、術者は、表示部８０，８１のグラフィック表示により、縦発振（フェイコ）とねじり発振（トーショナル）とに関する各種パラメータの相互関係を明確に把握することができるので、パラメータの設定（調整）が短時間で終了するとともに、設定ミスが生じ難くなる。
【００４５】
ここで、上記の実施形態では、ＵＳハンドピース１１の発振パワー（フェイコパワー／トーショナルパワー）を手術画面６０において設定するようになっている。そのため、発振パワーの設定変更を行う場合には、画面の切り替えが必要となってしまう。そこで、ＵＳハンドピース１１の発振パワー（フェイコパワー／トーショナルパワー）をパルス設定画面７０において設定することができるようにしてもよい。つまり、パルス設定画面７０に、発振パワーを設定するUS Powerアイコンを設けてもよい。
【００４６】
例えば、図１１に示すように、フットペダル８の踏み始めにおける、縦発振パワーを設定するフェイコパワーアイコン７５ａ、ねじり発振パワーを設定するトーショナルパワーアイコン７５ｂ、及びフットペダル８の踏み終わりにおける、縦発振パワーを設定するフェイコパワーアイコン７５ｃ、ねじり発振パワーを設定するトーショナルパワーアイコン７５ｄを設けることができる。これらのアイコン７５ａ〜７５ｄをそれぞれ操作することにより、フットペダル８の踏み始めと踏み終わりにおける、縦発振パワー（フェイコパワー）とねじり発振パワー（トーショナルパワー）を独立して別々に設定することができる。
【００４７】
これにより、図１１に示すように、縦発振及びねじり発振に関するパルスパラメータを設定するための設定アイコン７１，７２，７３，７５ａ〜７５ｄのすべてが、パルス設定画面７０内に表示されるため、術者は、画面を切り替えることなく、縦発振及びねじり発振に関するパルスパラメータの設定を行うことができる。また、表示部８０，８１に表示されるグラフィック表示を見ながら、パルスパラメータの設定（変更）を行うことができる。
【００４８】
そして、US Powerアイコン７５ａ〜７５ｄを設けた場合にも、いずれかのパラメータを変更すると、そのパラメータ変更に伴って表示部８０，８１のグラフィック表示が変化する。例えば、図１１に示す設定値から図１２に示す設定値に変更したとする。具体的には、図１１及び図１２に示すように、フットペダル８の踏み始めにおける、縦発振パワー（フェイコパワー）を「１５」から「７０」に、パルスデューティを「８０」から「３０」に、縦発振のオン期間（フェイコTime On）を「４０」から「１５」に、ねじり発振のオン期間（トーショナルTime On）を「４０」から「１５」にそれぞれ変更し、フットペダル８の踏み終わりにおける、ねじり発振パワー（トーショナルパワー）を「７０」から「３０」に、縦発振のオン期間（フェイコTime On）を「６０」から「２５」に、ねじり発振のオン期間（トーショナルTime On）を「２０」から「５５」にそれぞれ変更したとする。
【００４９】
この設定変更では、フットペダル８の踏み始めにおいて、縦発振パワー（フェイコパワー）を大きく、パルスデューティを小さくして、縦発振のオン期間（フェイコTime On）及びねじり発振のオン期間（トーショナルTime On）を短くしている。また、フットペダル８の踏み終わりにおいて、ねじり発振パワー（トーショナルパワー）を小さくして（パルスデューティの変更なし）、縦発振のオン期間（フェイコTime On）を長くする一方、ねじり発振のオン期間（トーショナルTime On）を短くしている。
【００５０】
このような設定の変更に伴って、図１１と図１２を比較するとわかるように、表示部８０のグラフィック表示のうち、フェイコの部分（縦線部）は横長四角形から縦長四角形に変化し、トーショナルの部分（斜線部）は四角形の横方向のみが小さくなり、グラフィック表示全体の大きさ（面積）が小さくなる。また、表示部８１のグラフィック表示のうち、フェイコの部分（縦線部）は四角形の横方向のみが小さくなり、トーショナルの部分（斜線部）は縦長四角形から横長四角形に変化し、グラフィック表示全体の大きさ（面積）が小さくなる。
【００５１】
そして、術者は、表示部８０，８１のグラフィック表示を確認することにより、かなり複雑なパラメータの変更を行っても、ＵＳハンドピース１１の発振パターンがどのように変化するのかを短時間で正確に把握することができる。また、表示部８０，８１が設けられているパルス設定画面７０内で、発振パワーを含むパルスパラメータの設定を行うことができる。そのため、術者は、表示部８０，８１のグラフィック表示の変化の様子を見ながら、各種パラメータを変更することができる。従って、術者は、思い通りの発振パターンとなるように、より短時間で各種パラメータの設定を正確に行うことができる。
【００５２】
以上、説明したように、本実施形態の手術装置１では、タッチパネル２に表示されるパルス設定画面７０における表示部８０，８１の横方向（横軸）に、複合発振時における、縦発振のパルスデューティとねじり発振のパルスデューティとを同時にグラフィック表示する。そのため、縦発振とねじり発振の２種類のパラメータを１つのグラフィックで表示することができるとともに、縦発振とねじり発振の割合もグラフィック表示から確認することができる。これにより、パルスパラメータの設定が従来よりも複雑になる複合発振の場合にも、縦発振とねじり発振とに関するパラメータを明確に把握することができ、短時間で設定が終了するとともに、設定ミスが生じ難くなる。
【００５３】
そして、本実施形態の手術装置１では、縦発振のパルスデューティとねじり発振のパルスデューティとに加えて、縦発振のパワーとねじり発振のパワーとを、表示部８０，８１の縦方向（縦軸）にグラフィック表示する。これにより、各表示部８０，８１のグラフィック表示から、縦発振のパワー（フェイコパワー）、縦発振のオン期間（フェイコTime On）、縦発振のエネルギー（フェイコエネルギー）、ねじり発振のパワー（トーショナルパワー）、ねじり発振のオン期間（トーショナルTime On）、ねじり発振のエネルギー（トーショナルエネルギー）、パルスデューティ（フェイコTime OnとトーショナルTime Onとの合計）、１パルス中で発振を行わない発振停止期間、及び発振順序を、短時間で簡単に認識することができる。従って、術者は、所望の発振パターンとなるように、パラメータの設定を短時間で終了することができる。
【００５４】
なお、上記した実施の形態は単なる例示にすぎず、本開示を何ら限定するものではなく、その要旨を逸脱しない範囲内で種々の改良、変形が可能であることはもちろんである。例えば、上記の実施形態では、表示部８０，８１に表示するグラフィック形状は四角形であるが、グラフィック形状は四角形に限られることはない。例えば、図１３に示すように、矢印形状にすることができる。このような矢印形状でグラフィック表示することにより、発振の流れ（発振方向が異なる複数の発振の発振順序）がより視覚的にわかり易くなる。そして、発振パワーや発振エネルギーを濃淡で表現することもできる。
【００５５】
また、図１４に示すように、矢印形状の円グラフでグラフィック表示してもよい。これにより、発振順序だけでなく、どのような割合で各発振が繰り返し行われるかということが、より直感的に理解し易くなる。この場合にも、発振パワーや発振エネルギーを濃淡で表現してもよい。そして、図１４では、中心の円グラフにパルスデューティを表示しているが、トータルの発振エネルギーや、１秒当たりのパルス数など様々なパラメータを表すこともできる。
【００５６】
さらに、図１５に示すように、２つの表示部８０，８１の代わりに、横長のワイド表示部８２を設けて、フットペダル８の踏み込み量に対して変化するパルスデューティをグラフィック表示してもよい。これにより、フットペダル８の踏み込み量により、パルスデューティや各Time Onがどのような値になるかをより明確に把握することができる。また、グラフィックの濃淡で発振パワーや発振エネルギー等のフットペダル８の踏み込み量に応じた変化を表すこともできる。
【００５７】
なお、上記の実施形態では、本開示によるグラフィック表示を適用可能なＵＳハンドピース１１として、縦発振（第１方向発振）とねじり発振（第２方向発振）が可能なものを例示したが、これに限るものでは無い。ＵＳハンドピース１１としては、発振方向が異なる複数の発振（第１方向発振と第２方向発振）が可能なものであればよく、例えば、縦発振（第１方向発振）と横発振（第２方向発振）が可能なもの（詳細については例えば米国特許出願公開第２００８／０２９４０８７号明細書参照）であってもよい。
【符号の説明】
【００５８】
１  手術装置
２  タッチパネル（ＧＵＩ）
８  フットペダル
１１  ＵＳハンドピース
３０  制御部
５０  メイン画面
７０  パルス設定画面
７１  パルス数設定アイコン
７２  パルスデューティ設定アイコン
７２ａ  パルスデューティ設定アイコン（踏み始め）
７２ｂ  パルスデューティ設定アイコン（踏み終わり）
７３  Time On設定アイコン
７３ａ  Time On設定アイコン（踏み始め）
７３ｂ  Time On設定アイコン（踏み終わり）
７５ａ〜７５ｄ  US Powerアイコン
８０  表示部
８１  表示部
【図１】
2020032069.tif 000003
【図２】
2020032069.tif 000004
【図３】
2020032069.tif 000005
【図４】
2020032069.tif 000006
【図５】
2020032069.tif 000007
【図６】
2020032069.tif 000008
【図７】
2020032069.tif 000009
【図８】
2020032069.tif 000010
【図９】
2020032069.tif 000011
【図１０】
2020032069.tif 000012
【図１１】
2020032069.tif 000013
【図１２】
2020032069.tif 000014
【図１３】
2020032069.tif 000015
【図１４】
2020032069.tif 000016
【図１５】
2020032069.tif 000017